(57)【要約】【課題】  ロッド部の形状をより睫の長さの場所による相違に適合させた睫成形用ロッドを提供することを課題とする。【解決手段】  本発明の睫成形用ロッドは、長手方向が睫の生え際近傍に沿って湾曲し、前記長手方向に対して直交する幅方向の断面がほぼ半円状をなし、底面が前記睫の生え際近傍に接着されるロッド本体と、  前記ロッド本体の幅方向の背面側底部に延設され、長手方向が前記ロッド本体の長手方向に沿って湾曲し、底面が瞼に接着される鍔状の固定部とを備え、  前記ロッド本体及び前記固定部とが、弾力性を有する部材によって一体的に形成されている睫成形用ロッドであって、  前記ロッド本体の断面がほぼ半円状をなす上面が、睫の場所による長さの相違に合わせて、目頭・目尻・中央部でそれぞれその断面の大きさを異ならせられていることを特徴とする。前記ロッド本体が、右用或いは左用に成形されていることが好ましい。【選択図】  図１
2006288704.tif 000002
【特許請求の範囲】
【請求項１】
長手方向が睫の生え際近傍に沿って湾曲し、前記長手方向に対して直交する幅方向の断面がほぼ半円状をなし、底面が前記睫の生え際近傍に接着されるロッド本体と、
前記ロッド本体の幅方向の背面側底部に延設され、長手方向が前記ロッド本体の長手方向に沿って湾曲し、底面が瞼に接着される鍔状の固定部とを備え、
前記ロッド本体及び前記固定部とが、弾力性を有する部材によって一体的に形成されている睫成形用ロッドであって、
前記ロッド本体の断面がほぼ半円状をなす上面が、睫の場所による長さの相違に合わせて、目頭・目尻・中央部でそれぞれその断面の大きさを異ならせられていることを特徴とする睫成形用ロッド。
【請求項２】
前記ロッド本体が、右用或いは左用に形成されている請求項１に記載の睫成形用ロッド。
【発明の詳細な説明】
【技術分野】
【０００１】
本発明は、睫（まつげ）にパーマネントウエーブ（以下単に「パーマ」という。）を施したり、睫を染めたり、或いは睫にマスカラ化粧料を塗布する等の際に用いられるロッドに関する。
【背景技術】
【０００２】
従来、睫にパーマを施す際に用いられる睫パーマ用ロッドとして、例えば、板状の基部と、この基部の一端に形成されたロッド部とを備えたものがあった（特許文献１参照）。この特許文献１に記載された睫パーマ用ロッドでは、ロッド部は、基部の表面側に断面がほぼ半円形に突出すると共に、その基部の一端に沿って延在している。基部の表面は、ロッド部を跨いで睫の先端側が接着剤により固定される睫固定面となっている。更に、基部の裏面は、接着剤により瞼に接着される瞼接着面となっている。
【０００３】
また、本発明者は、ロッド部の断面寸法を大きくして睫がロッド部表面内にグルー（糊材）で接着固定される新型ロッドを提案している（特許文献２参照）。
これらの、特許文献１に示された睫パーマ用ロッドおよび特許文献２に示された新型ロッドでは、ロッド本体の断面がほぼ半円状をなす上面は、ほぼ同じ断面の大きさであるか、断面の大きさを異ならせる場合にあっても、せいぜい中央部を大きく、左右両側で小さくする程度で、ほぼ左右対称となされる程度であった。
【０００４】
【特許文献１】特開２００２−０５８５２３号公報
【特許文献２】特開２００５−０５８４２２号公報
【発明の開示】
【発明が解決しようとする課題】
【０００５】
睫の長さは、目頭側で短く、目尻側で若干長く、中央部では長いのが通常である。
この状況を反映させて、ロッド部の形状をより睫の長さの場所による相違に適合させた睫成形用ロッドを提供することを本件発明の課題とする。
【課題を解決するための手段】
【０００６】
本発明の睫成形用ロッドは、長手方向が睫の生え際近傍に沿って湾曲し、前記長手方向に対して直交する幅方向の断面がほぼ半円状をなし、底面が前記睫の生え際近傍に接着されるロッド本体と、
前記ロッド本体の幅方向の背面側底部に延設され、長手方向が前記ロッド本体の長手方向に沿って湾曲し、底面が瞼に接着される鍔状の固定部とを備え、
前記ロッド本体及び前記固定部とが、弾力性を有する部材によって一体的に形成されている睫成形用ロッドであって、
前記ロッド本体の断面がほぼ半円状をなす上面が、睫の場所による長さの相違に合わせて、目頭・目尻・中央部でそれぞれその断面の大きさを異ならせられていることを特徴とする。前記ロッド本体が、右用或いは左用に成形されていることが好ましい。
【発明の効果】
【０００７】
本発明の睫成形用ロッドは、ロッド本体の断面がほぼ半円状をなす上面が、睫の場所による長さの相違に合わせて、目頭・目尻・中央部でそれぞれその断面の大きさを異ならせているので、睫の成形施療に際して、睫をロッド本体の上面に配列・整列・固定することがより確実・容易に行えるようになり、かつ、ロッド本体の断面形状を、長手方向の位置によって半円状から楕円状等に変化させたロッドを準備することによって、カール等の睫の成形形状を容易に所望の形状に変化させることができる格別の効果が得られる。
【発明を実施するための最良の形態】
【０００８】
以下に、添付図面を参照して、本発明を詳細に説明する。
図１は、本発明の１実施の形態の基本形を示す平面図である。
図１において、１は本発明の下睫成形用ロッドであって、ロッド本体２と固定部３とによって構成されている。４は、ロッド本体２と固定部３との境界線である。図示の通り、目頭側５のロッド本体２の幅は、それぞれの部分の睫の長さに合わせて、目尻側６のロッド本体２の幅よりも狭く形成されている。両者の幅の差異の程度は、統計的に、または施療実績の経験に基づいて、複数種類準備することが好ましい。
【０００９】
ロッド本体２は、長手方向が下睫の生え際近傍に沿って上方に湾曲し、前記長手方向に対して直交する幅方向の断面がほぼ半円状をなし、底面が前記下睫の生え際近傍の瞼に糊等の接着剤により接着される。
ロッド本体２の上面は、長手方向の各部分で、下睫を配列・接着するに充分な幅を有している。
ロッド本体２の上面は、目頭側と目尻側とでロッド本体２の幅を異ならせているので、睫成形用ロッドは右目用と左目用とをペアで準備することとなる。
【００１０】
上面は、図示のように、基本的に滑らかな表面として差し支えないが、ロッド本体の上面の幅方向に複数の配列溝が形成されていても良い。複数の配列溝は、ピンセット等で巻き上げられた複数の下睫を受け入れて配列するのに便利である。配列溝の配列幅を適当な間隔としておけば、下睫の複数本が合体された状態で成形されることがないように、１本１本を分離配列させるに際して極めて便利である。
ロッド本体２の背面（底面）には、突起部を突設させることができる。突起部を設けることによって、ロッドを瞼に接着する際に、該ロッドを軽く瞼に押し付けると、睫の生え際近傍が持ち上げられ、睫が立ち上がる。そのため、睫をロッド本体に容易に巻き上げることができるという効果が付加される。
【００１１】
ロッド本体２の上面には、睫が接着剤（グルー等）を用いて、接着・配列・固定され、睫成形操作（パーマ液やマスカラ薬剤の適用等）が施される。
睫成形操作に際して、特許文献２に示されるようにロッド本体２の上面を覆うカバーを用いることは、好ましい態様となり得る。睫成形用ロッドとカバーとを連結させておくこともできる。
ロッド本体２の底部には、長手方向全長にわたって鍔状の固定部３が延設されることを原則とする。ただし、固定部３は、目頭側と目尻側とに二分されるような形態でも差し支えない。この固定部３は、長手方向がロッド本体の長手方向に沿って湾曲し、その底面が、ロッド本体２の底面と共に、瞼に糊等の接着剤により接着される。
【００１２】
長手方向全長にわたって鍔状に延設される固定部３には、開口部（図示省略）を形成することができる。開口部を設けることによって、糊等の接着剤により固定部の底面を瞼に接着する際に、固定部と瞼との間の空気を抜いて該固定部の接着や剥離を容易にしたり、或いは固定部の屈曲性や柔軟性等を向上させる効果が付加される。
以上に詳細に説明したロッド本体２及び固定部３によって構成される本発明の睫成形用ロッド１、さらに付加的に用いられ得るとしたカバー、は、弾性を有する素材で、金型を用いて一体成形されることが好ましい。用いられ得る素材としては、例えば、軟質樹脂、シリコンゴム等のゴム、海綿状の紙等が挙げられ、好適には、例えばラバロンが例示され得る。
【産業上の利用可能性】
【００１３】
本発明の睫成形用ロッドは、睫にパーマを施したり、睫を染めたり、或いは睫にマスカラ化粧料を塗布する等、睫成形のための種々の用途に簡便・安全に、睫により適合させた形態で利用できるので、美容院・ビューティーサロン等での睫成形美容のための補助具として、広く有効・有利に利用され得る。
【図面の簡単な説明】
【００１４】
【図１】本発明の１実施の形態の基本形を示す平面図である。
【符号の説明】
【００１５】
１：睫成形用ロッド
２：ロッド本体
３：固定部
４：（ロッド本体２と固定部３との）境界線
５：目頭側
６：目尻側
【図１】
2006288704.tif 000003